【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
１度の撮影で解像度の異なる２つのＲＡＷ画像データを生成する撮像手段と、
前記撮像手段により生成される前記解像度の異なる２つのＲＡＷ画像データのうち、いずれか一方のＲＡＷ画像データを示すサイズ決定情報を入力する入力手段と、
前記解像度の異なる２つのＲＡＷ画像データ、及び前記入力手段により入力された前記サイズ決定情報を含む１つの画像ファイルを記録媒体に記録する記録手段と、を備えることを特徴とする撮像装置。
【請求項２】
前記サイズ決定情報は、撮影後に前記１つの画像ファイルの現像処理を行う場合に、前記２つのＲＡＷ画像データのうち、どちらのＲＡＷ画像データを優先的に選択するかを示す情報であることを特徴とする請求項１に記載の撮像装置。
【請求項３】
前記解像度の異なる２つのＲＡＷ画像データのうち、一方はＹＵＶ形式のＲＡＷ画像データであり、他方はＲＧＢ形式のＲＡＷ画像データであることを特徴とする請求項１または２に記載の撮像装置。
【請求項４】
解像度の異なる２つのＲＡＷ画像データ、及び前記解像度の異なる２つのＲＡＷ画像データのうち、いずれか一方のＲＡＷ画像データを示すサイズ決定情報を含む画像ファイルから、前記サイズ決定情報を取得する情報取得手段と、
前記情報取得手段により取得されたサイズ決定情報が示す、前記解像度の異なる２つのＲＡＷ画像データのうちの１つのＲＡＷ画像データを選択する選択手段と、を備えることを特徴とする画像処理装置。
【請求項５】
前記画像ファイルから、前記解像度の異なる２つのＲＡＷ画像データのうち、前記選択手段により選択された１つのＲＡＷ画像データのみを含む新たな画像ファイルを生成する画像ファイル生成手段をさらに備えることを特徴とする請求項４に記載の画像処理装置。
【請求項６】
前記情報取得手段により取得されたサイズ決定情報を変更する変更手段をさらに備えることを特徴とする請求項４または５に記載の画像処理装置。
【請求項７】
解像度の異なる２つのＲＡＷ画像データを含む画像ファイルを読み取り可能な画像処理装置であって、
前記画像ファイルに係る画像を表示装置の表示画面に表示する際に必要とされる解像度を入力する入力手段と、
前記画像ファイルが有する情報から得られる解像度の閾値と、前記入力手段により入力された前記表示する際に必要とされる解像度とを比較する解像度比較手段と、
前記解像度比較手段による比較の結果、
前記表示する際に必要とされる解像度が前記解像度の閾値より高い場合は、前記解像度の異なる２つのＲＡＷ画像データのうちの解像度の高いＲＡＷ画像データを、前記表示画面に表示するためのＲＡＷ画像データとして選択し、
前記表示する際に必要とされる解像度が前記解像度の閾値より低い場合は、前記解像度の異なる２つのＲＡＷ画像データのうちの解像度の低いＲＡＷ画像データを、前記表示画面に表示するためのＲＡＷ画像データとして選択する選択手段と、を備えることを特徴とする画像処理装置。
【請求項８】
前記解像度の閾値は、前記解像度の低いＲＡＷ画像データの解像度であることを特徴とする請求項７に記載の画像処理装置。
【請求項９】
前記解像度の異なる２つのＲＡＷ画像データのうち、前記選択手段により選択されたＲＡＷ画像データが優先的に現像処理すべきＲＡＷ画像データであることを示すサイズ決定情報を、前記画像ファイルに付加して記録する記録手段をさらに備えることを特徴とする請求項７または８に記載の画像処理装置。
【請求項１０】
前記表示する際に必要とされる解像度を、ユーザからの指示に基づいて変更する変更手段をさらに備えることを特徴とする請求項７乃至９のいずれか１項に記載の画像処理装置。
【請求項１１】
前記解像度比較手段は、前記変更手段により前記表示する際に必要とされる解像度が変更された場合、変更された前記表示する際に必要とされる解像度と、前記解像度の閾値とを再び比較することを特徴とする請求項１０に記載の画像処理装置。
【請求項１２】
撮像手段が、１度の撮影で解像度の異なる２つのＲＡＷ画像データを生成する撮像工程と、
入力手段が、前記撮像工程において生成される前記解像度の異なる２つのＲＡＷ画像データのうち、いずれか一方のＲＡＷ画像データを示すサイズ決定情報を入力する入力工程と、
記録手段が、前記解像度の異なる２つのＲＡＷ画像データ、及び前記入力工程において入力された前記サイズ決定情報を含む１つの画像ファイルを記録媒体に記録する記録工程と、を備えることを特徴とする撮像装置の制御方法。
【請求項１３】
情報取得手段が、解像度の異なる２つのＲＡＷ画像データ、及び前記解像度の異なる２つのＲＡＷ画像データのうち、いずれか一方のＲＡＷ画像データを示すサイズ決定情報を含む画像ファイルから、前記サイズ決定情報を取得する情報取得工程と、
選択手段が、前記情報取得工程において取得されたサイズ決定情報が示す、前記解像度の異なる２つのＲＡＷ画像データのうちの１つのＲＡＷ画像データを選択する選択工程と、を備えることを特徴とする画像処理装置の制御方法。
【請求項１４】
解像度の異なる２つのＲＡＷ画像データを含む画像ファイルを読み取り可能な画像処理装置の制御方法であって、
入力手段が、前記画像ファイルに係る画像を表示装置の表示画面に表示する際に必要とされる解像度を入力する入力工程と、
解像度比較手段が、前記画像ファイルが有する情報から得られる解像度の閾値と、前記入力工程において入力された前記表示する際に必要とされる解像度とを比較する解像度比較工程と、
選択手段が、前記解像度比較工程における比較の結果、
前記表示する際に必要とされる解像度が前記解像度の閾値より高い場合は、前記解像度の異なる２つのＲＡＷ画像データのうちの解像度の高いＲＡＷ画像データを、前記表示画面に表示するためのＲＡＷ画像データとして選択し、
前記表示する際に必要とされる解像度が前記解像度の閾値より低い場合は、前記解像度の異なる２つのＲＡＷ画像データのうちの解像度の低いＲＡＷ画像データを、前記表示画面に表示するためのＲＡＷ画像データとして選択する選択工程と、を備えることを特徴とする画像処理装置の制御方法。
【請求項１５】
請求項１２に記載の撮像装置の制御方法の各工程をコンピュータに実行させるためのプログラム。
【請求項１６】
請求項１３または１４に記載の画像処理装置の制御方法の各工程をコンピュータに実行させるためのプログラム。
【請求項１７】
請求項１２に記載の撮像装置の制御方法の各工程をコンピュータに実行させるためのプログラムを記憶したコンピュータで読み取り可能な記憶媒体。
【請求項１８】
請求項１３または１４に記載の画像処理装置の制御方法の各工程をコンピュータに実行させるためのプログラムを記憶したコンピュータで読み取り可能な記憶媒体。
【手続補正２】
【補正対象書類名】明細書
【補正対象項目名】発明の名称
【補正方法】変更
【補正の内容】
【発明の名称】撮像装置、画像処理装置、撮像装置の制御方法、画像処理装置の制御方法、プログラム、及び記憶媒体
【手続補正３】
【補正対象書類名】明細書
【補正対象項目名】０００１
【補正方法】変更
【補正の内容】
【０００１】
本発明は、ＲＡＷ画像データを撮影する撮像装置、撮影したＲＡＷ画像データを効率的に画像処理することが可能な画像処理装置、撮像装置の制御方法、画像処理装置の制御方法、プログラム、及び記憶媒体に関する。
【手続補正４】
【補正対象書類名】明細書
【補正対象項目名】０００９
【補正方法】変更
【補正の内容】
【０００９】
上記の目的を達成するため、本発明の実施形態に係る撮像装置は、
１度の撮影で解像度の異なる２つのＲＡＷ画像データを生成する撮像手段と、
前記撮像手段により生成される前記解像度の異なる２つのＲＡＷ画像データのうち、いずれか一方のＲＡＷ画像データを示すサイズ決定情報を入力する入力手段と、
前記解像度の異なる２つのＲＡＷ画像データ、及び前記入力手段により入力された前記サイズ決定情報を含む１つの画像ファイルを記録媒体に記録する記録手段と、を備えることを特徴とする。
【手続補正５】
【補正対象書類名】明細書
【補正対象項目名】００１０
【補正方法】変更
【補正の内容】
【００１０】
上記の目的を達成するため、本発明の他の実施形態に係る画像処理装置は、
解像度の異なる２つのＲＡＷ画像データ、及び前記解像度の異なる２つのＲＡＷ画像データのうち、いずれか一方のＲＡＷ画像データを示すサイズ決定情報を含む画像ファイルから、前記サイズ決定情報を取得する情報取得手段と、
前記情報取得手段により取得されたサイズ決定情報が示す、前記解像度の異なる２つのＲＡＷ画像データのうちの１つのＲＡＷ画像データを選択する選択手段と、を備えることを特徴とする。
【手続補正６】
【補正対象書類名】明細書
【補正対象項目名】００１１
【補正方法】変更
【補正の内容】
【００１１】
上記の目的を達成するため、本発明のさらに他の実施形態に係る画像処理装置は、
解像度の異なる２つのＲＡＷ画像データを含む画像ファイルを読み取り可能な画像処理装置であって、
前記画像ファイルに係る画像を表示装置の表示画面に表示する際に必要とされる解像度を入力する入力手段と、
前記画像ファイルが有する情報から得られる解像度の閾値と、前記入力手段により入力された前記表示する際に必要とされる解像度とを比較する解像度比較手段と、
前記解像度比較手段による比較の結果、
前記表示する際に必要とされる解像度が前記解像度の閾値より高い場合は、前記解像度の異なる２つのＲＡＷ画像データのうちの解像度の高いＲＡＷ画像データを、前記表示画面に表示するためのＲＡＷ画像データとして選択し、
前記表示する際に必要とされる解像度が前記解像度の閾値より低い場合は、前記解像度の異なる２つのＲＡＷ画像データのうちの解像度の低いＲＡＷ画像データを、前記表示画面に表示するためのＲＡＷ画像データとして選択する選択手段と、を備えることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００３４
【補正方法】変更
【補正の内容】
【００３４】
上記で説明したように、本発明の実施形態１に係る撮像装置によれば、同じ被写体に対して、解像度の異なる２つのＲＡＷ画像データ、すなわちスモールＲＡＷ画像データ３１２とラージＲＡＷ画像データ３１３を含む画像ファイルを得ることができる。さらにその場合、サイズ決定情報ボタンの操作により、後段の現像時で行われる処理に対するＲＡＷ画像データの指定を画像ファイルにサイズ決定情報として書込むことが可能となる。このサイズ決定情報は、基本的に現像処理時に、解像度の異なる２つのＲＡＷ画像データ３１２、３１３のどちらを優先的に現像処理するかを意味する情報である。
【手続補正１２】
【補正対象書類名】明細書
【補正対象項目名】００４３
【補正方法】変更
【補正の内容】
【００４３】
ユーザが操作部２５０より画像調整の処理の指示を行うと、ステップＳ１０１で、制御部２１０はタグ情報解析部２７０に指示する。そしてタグ情報解析部２７０は、メモリ２３０に記憶された画像ファイル３００から、サイズ決定情報３１１に関するタグ情報を取得する。なお、この画像ファイル３００は、撮像装置１００で撮影され、生成された画像ファイル３００であって、前もってメモリ２３０に取り込んだ画像ファイルである。次にステップＳ１０２に進み、制御部２１０は、この画像ファイル３００のサイズ決定情報３１１がスモールＲＡＷ画像データを示す情報であるかを判定する。
【手続補正１３】
【補正対象書類名】明細書
【補正対象項目名】００４９
【補正方法】変更
【補正の内容】
【００４９】
その後ステップＳ２０２に進み、制御部２１０はサイズ決定情報３１１ がスモールＲＡＷ画像データを示す情報であるかを判定する。そしてスモールＲＡＷ画像データを示す情報であれば、ステップＳ２０３に進み、スモールＲＡＷ画像データ３１２を用いて現像処理を行う。またラージＲＡＷ画像データを示す情報であれば、ステップＳ２０４に進み、ラージＲＡＷ画像データ３１３を用いて現像処理を行う。その現像処理の結果得られたＪＰＥＧ形式やＴＩＦＦ形式での画像ファイルは、画像ファイルメモリ２２０に出力するか、或いは印刷データとして出力し、現像処理を終了する。
【手続補正１４】
【補正対象書類名】明細書
【補正対象項目名】００５２
【補正方法】変更
【補正の内容】
【００５２】
先ずステップＳ３００で、ユーザが操作部２５０より「保存用のＲＡＷ画像への変換」の指示を行うと、ステップＳ３０１に進んで、制御部２１０はタグ情報解析部２７０に指示を出す。そして、画像ファイル３００のサイズ決定情報３１１を有するタグ情報３１０を取得する。
【手続補正１５】
【補正対象書類名】明細書
【補正対象項目名】００５３
【補正方法】変更
【補正の内容】
【００５３】
次に、ステップＳ３０２に進み、制御部２１０はサイズ決定情報３１１ がスモールＲＡＷ画像データを示す情報であるかを判定する。もしスモールＲＡＷ画像データを示す情報であれば、ステップＳ３０３に進み、画像ファイル４００を生成し、ラージＲＡＷ画像データを示す情報であれば、ステップＳ３０４に進み、画像ファイル５００を生成する。生成された画像ファイル４００、５００は画像ファイルメモリ２２０に格納される。先にのべたように、画像ファイル４００、５００の生成は、画像ファイル生成部２９０で実行される。